(57)【要約】【課題】本発明は、完全に密封された注水ケース内に溜まった水が給水終了後に残らず排水される洗濯機を提供することを目的とする。【解決手段】本発明は、洗濯槽に洗濯水を注ぐ給水装置と、給水装置に設けられ、洗濯水を散布する複数のシャワー注水穴のある注水ケースと、注水ケースに水道水を給水する給水バルブを備える洗濯機にあって、注水ケース内に立ち、上端側が注水ケース内に開口し、下端側が注水ケースの外側底部に開口する外気置換パイプを備えたことを特徴とする。また、本発明は、注水ケースの上部開口を蓋体で密封閉鎖し、注水ケースの内気圧が負圧になると開放作動して外気を注水ケース内に流し込む逆止弁を蓋体に設けたことを特徴とする洗濯機。【選択図】図１
2011000348.tif 000002
【特許請求の範囲】
【請求項１】
洗濯槽に洗濯水を注ぐ給水装置と、前記給水装置に設けられ、前記洗濯水を散布する複数のシャワー注水穴のある注水ケースと、前記注水ケースに水道水を給水する給水バルブを備える洗濯機にあって、
前記注水ケース内に立ち、上端側が前記注水ケース内に開口し、下端側が前記注水ケースの外側底部に開口する外気置換パイプを備えたことを特徴とする洗濯機。
【請求項２】
洗濯槽に洗濯水を注ぐ給水装置と、前記給水装置に設けられ、前記洗濯水を散布する複数のシャワー注水穴のある注水ケースと、前記注水ケースに水道水を給水する給水バルブを備える洗濯機にあって、
前記注水ケースの上部開口を蓋体で密封閉鎖し、
前記注水ケース内に立ち、上端側が前記注水ケース内で前記蓋体の近くに開口し、下端側が前記注水ケースの外側底部に開口する外気置換パイプを備えたことを特徴とする洗濯機。
【請求項３】
洗濯槽に洗濯水を注ぐ給水装置と、前記給水装置に設けられ、前記洗濯水を散布する複数のシャワー注水穴のある注水ケースと、前記注水ケースに水道水を給水する給水バルブを備える洗濯機にあって、
前記注水ケースの上部開口を蓋体で密封閉鎖し、
前記注水ケースの内気圧が負圧になると開放作動して外気を注水ケース内に流し込む逆止弁を前記蓋体に設けたことを特徴とする洗濯機。
【請求項４】
請求項１または２記載の洗濯機にあって、
前記外気置換パイプは、パイプ穴の大きさが前記シャワー注水穴または前記洗剤溶解注水穴よりも大きいことを特徴とする洗濯機。
【請求項５】
請求項１〜４のいずれかに記載された洗濯機にあって、
前記注水ケースは前記洗濯槽に設けた洗剤投入口に洗剤溶解注流水を注ぐ洗剤溶解注水穴を有することを特徴とする洗濯機。
【請求項６】
請求項５記載の洗濯機にあって、
前記水道水は前記シャワー注水穴からのシャワー注水と前記洗剤溶解注流水に分れて前記洗濯槽に注がれることを特徴とする洗濯機。
【発明の詳細な説明】
【技術分野】
【０００１】
本発明は、洗濯槽内の洗濯物にシャワー状の給水が広範囲に亘り散水される給水装置を備えた洗濯機に関する。
【背景技術】
【０００２】
この洗濯機は、例えば、特開２００１−３４０６９０号公報（特許文献１）に記載されている。
【０００３】
特許文献１に示す洗濯機は洗濯水を洗濯槽の中にある洗濯物に注ぐ注水装置を有する。
そして、注水装置は洗濯槽の上方に多数の散水孔をもつ給水ノズルを備え、給水ノズルでシャワー注水をするようにしている。シャワー注水による広範囲な散水で洗濯物全体にわたって水が早く浸透するので、洗剤の溶解が早く、またすすぎも早くなる。
【０００４】
また、注水と同時に洗濯槽の側壁に設置されている洗剤投入口にも注水して、洗い給水時に洗剤を溶解しながら給水する事により洗剤の溶解時間を促進させ洗浄性能の向上を図る。
【先行技術文献】
【特許文献】
【０００５】
【特許文献１】特開２００１−３４０６９０号公報
【発明の概要】
【発明が解決しようとする課題】
【０００６】
シャワー注水をする給水ノズルや注水ケースを備えた洗濯機は、給水ノズルや注水ケース内に溜まった水が給水終了後も排水されずに残る不具合がある。
【０００７】
これは注水時に水漏れを防止するために、注水ケース本体の上部をパッキンを介在して上蓋で完全に密閉する構成にしたためです。この密閉構造のために注水終了後、水圧が低下すると径の小さい散水穴から注水ケース内の水が抜けない。また注水ケース内の水が自重で少し抜けたところで、注水ケース内が負圧になり注水ケース内に残水するものと考えられる。
【０００８】
本発明は、上記の課題に対処し、注水ケース内に水が残らない注水装置を備えた洗濯機を提供することを目的とする。
【課題を解決するための手段】
【０００９】
本発明は、洗濯槽に洗濯水を注ぐ給水装置と、前記給水装置に設けられ、前記洗濯水を散布する複数のシャワー注水穴のある注水ケースと、前記注水ケースに水道水を給水する給水バルブを備える洗濯機にあって、前記注水ケース内に立ち、上端側が前記注水ケース内に開口し、下端側が前記注水ケースの外側底部に開口する外気置換パイプを備えたことを特徴とする。
【００１０】
また、本発明は、洗濯槽に洗濯水を注ぐ給水装置と、前記給水装置に設けられ、前記洗濯水を散布する複数のシャワー注水穴のある注水ケースと、前記注水ケースに水道水を給水する給水バルブを備える洗濯機にあって、前記注水ケースの上部開口を蓋体で密封閉鎖し、前記注水ケースの内気圧が負圧になると開放作動して外気を注水ケース内に流し込む逆止弁を前記蓋体に設けたことを特徴とする。
【発明の効果】
【００１１】
本発明によれば、外気置換パイプにより注水ケース内が大気に通じているので給水バルブを閉じ注水を止めた際に注水ケース内が負圧にならず、注水ケース内に溜まった水が残らず排出される。
【００１２】
また、注水ケースの内気圧が負圧になると、逆止弁が開放作動して外気を注水ケース内に流し込み、注水ケース内の負圧が解消され注水ケース内に溜まった水が残らず排出される。
【図面の簡単な説明】
【００１３】
【図１】本発明の実施例に係るもので、洗濯機の全体を縦に断面した縦断面図である。
【図２】本発明の実施例に係るもので、本発明の主要部に係る注水ケースの側面図である。
【図３】本発明の実施例に係るもので、蓋体を外し注水ケースを上側から見た図である。外気置換パイプは省略して図示している。
【図４】本発明との比較で参考的に挙げたもので、注水ケースで散水する状態を示した縦断面図である。
【図５】本発明との比較で参考的に挙げたもので、図４を右から見た右側面図である。
【図６】本発明との比較で参考的に挙げたもので、注水ケース内に残水する状態を示した縦断面図である。
【図７】本発明との比較で参考的に挙げたもので、図６を右から見た右側面図である。
【図８】本発明の実施例に係わるもので、注水ケース内に外気置換パイプを設けた縦断面図である。
【図９】本発明の実施例図に係わるもので、注水ケース内に外気置換パイプを設けた水抜き状態を示した縦断面図である。
【図１０】本発明の実施例図に係わるもので、注水ケース内に外気置換パイプを設けた外気圧との置換状態を示した縦断面図である。
【図１１】本発明の他の実施例図に係わるもので、注水ケース内の蓋体上部に外気圧と置換する逆止弁を設けた縦断面図である。
【発明を実施するための形態】
【００１４】
以下、本発明の実施形態に係わる実施例について、図を引用して説明する。
【００１５】
まず、図１の洗濯機縦断面図に基づいて、洗濯機の概要から説明する。
【００１６】
洗濯機の外筺体は、外枠１、外枠１を下から支持する外枠ベース２、外枠１の上部に設けられたトップカバー３、トップカバー３に開閉自在に備わり洗濯物を出し入れする蓋４を有する。外槽５は外枠１の内にあって外枠１の上側内部隅に設けたコーナ支持部８より垂下する吊棒７に防振バネ２１を介して防振支持される。
【００１７】
洗濯槽９は外槽５内に設けられる。洗濯や脱水運転の駆動モータとしてのＤＣブラシレスモータ１９は外槽５の底中央部に設けられる。ＤＣブラシレスモータ１９はフランジ２０を用いて外槽５の底部中央位置に取り付けられる。
【００１８】
ＤＣブラシレスモータ１９の回転主軸３３は洗濯槽９の中央底面に締結固定され、洗濯槽９を支持する。回転主軸３３の軸中心には攪拌翼１１を回動する回転軸（図示せず）が備わる。攪拌翼１１は洗濯槽９の中央底部に左右回転自在に備えられる。攪拌翼１１は回転軸（図示せず）に締結固定され、ＤＣブラシレスモータ１９の回動によって回る。
【００１９】
ＤＣブラシレスモータ１９は、回転伝達切り替え手段（図示せず）で洗濯時には洗濯物を攪拌する攪拌翼を回転駆動させ、また脱水運転時では洗濯槽９を同一方向に高速回転して、そのときの遠心力により洗濯物の水分を脱水穴１２から脱水するように自動的に切り替えられる構成となっている。
【００２０】
回転伝達切り替え手段の切り替えでＤＣブラシレスモータ１９の動力回転が回転主軸３３に設けられた内側回転軸だけに伝えられると攪拌翼１１が攪拌回転し、洗濯槽９内の洗濯物が攪拌される。攪拌翼１１は洗濯物に機械力を与え、水と洗剤の化学力の作用により洗濯物に付着した汚れを除去し洗濯される。
【００２１】
回転伝達切り替え手段の切り替えでＤＣブラシレスモータ１９の回転が洗濯槽９に伝達されると、今度は洗濯槽９が一方方向に回転し、洗濯物に含まれている水分が遠心力により脱水穴１２から脱水される。
【００２２】
洗濯物９の脱水運転時における振動は、洗濯槽９の上部にバランサー１０を備えているので、高速脱水時の振動や洗濯槽９内での洗濯物のアンバランスによる異常振動は緩和される。
【００２３】
コントロール基板２７はトップカバー３の前側に備えられる。電源スイッチ７２はコントロール基板２７に設けられる。電源スイッチ７２を投入し、コントロール基板２７に設けられる各種入力スイッチを操作して洗濯運転がセットされる。
【００２４】
水位センサー７３はトップカバー３の前側に備えられる。圧力チューブ２６を介して水位センサー７３はエアートラップ１４の空気室１５に通じている。
【００２５】
外槽５内に貯留する高さにより、空気室１４内の空気が圧縮されて空気圧Ｐが高くなり、その空気圧Ｐにより、水位センサー７３により洗濯槽９に貯水される水量を制御する。排水バルブ２２は外槽５の底部に設けた排水口２２ａに連通し、排水ホース２３から機外へ排水される。
【００２６】
すなわち、洗濯やすすぎで使用した水は排水バルブ２２の制御操作で排水ホース２３を通じて機外へ排水される。
【００２７】
排水終了後は、洗濯物の水分を除去するための脱水が行われる。
【００２８】
脱水運転は排水バルブ２２を開放したままで行う。排水バルブ２２の開閉、モータ１９の運転、停止、速度調整はコントロール基板２７によりコントロールされる。
【００２９】
本発明の主要部になる注水装置について説明する。
【００３０】
注水装置は、注水ケース２５、給水電磁弁６、水道の蛇口との給水接続口２４を有する。給水接続口２４には水道ホース（図示せず）と蛇口部に接続され、蛇口を介して水道ホースから供給される水道水は給水時に給水バルブである給水電磁弁６の開放によって注水ケース２５を通じて洗濯槽９に注がれる。
【００３１】
外槽カバー１３は外槽５の上部に設けられる。注水ケース２５から流出する水が洗濯槽９の外側に逸れても外槽カバー１３に保護されて洗濯槽９内に注がれる。洗剤投入口１６は洗濯槽９の内周側で注水ケース２５の真下に位置するように設けられる。
【００３２】
洗剤投入口１６の受口は注水ケース２５に向けて開口する。洗剤投入口部１６は連通する洗剤流下路１７が洗濯槽９の胴体に沿って下方に延在し、洗濯槽９の底部外側に開口する洗剤排出口１８から、洗濯槽９と外槽５間に洗剤が投入される。
【００３３】
洗い給水時には、注水ケース２５から洗剤投入口部１６に注がれ、洗剤流下路１７を流下して洗剤排出口１８から外槽５に溜まる洗濯水に混じって早く溶解するため、洗剤の化学力を十分に発揮して洗濯物の汚れを効率良く落とし洗浄効果を提供する。
【００３４】
注水ケース２５はシャワー状のシャワー散水２８と洗剤溶解注流水２９を分けて洗濯槽９に注ぐ。シャワー散水２８は洗濯槽９内に存在する洗濯物全体に亘り散水される。洗剤溶解注流水２９は洗剤投入口１６に注がれる。
【００３５】
さて、注水装置の注水ケース２５について、図２〜図３を基に詳しく説明する。
【００３６】
注水ケース２５は上部の開口が蓋体１０１で閉鎖される。シールパッキング１２１は蓋体１０１と注水ケース２５の接合部の封止をするもので、注水ケース２５に給水する水道水が接合部から漏水するのを防ぐ。
【００３７】
蓋体１０１は上面部に給水管１０２を有する。給水管１０２には前述した給水電磁弁６が接続され、給水電磁弁６の開放により給水管１０２を通じて水道水が注水ケース２５に給水される。
【００３８】
注水ケース２５は、図３に示すように、注水室１１１と洗剤溶解注流水２９へ水を注ぐ注流室１１２を有する。仕切り板１１３は注水ケース２５内を区画して注水室１１１と注流室１１２を形成する。
【００３９】
仕切り板１１３は注水ケース２５の内底部から上方の開口に向かって真っ直ぐ立つように形成されている。仕切り板１１３は中央に連通路１１４を有する。連通路１１４は仕切り板１１３の下端から上端に亘って上下に真っ直ぐ立つように形成される。仕切り板１１３、連通路１１４が注水ケース２５の上方の開口に向かって真っ直ぐ立つように形成されているので合成樹脂による成型が容易である。
【００４０】
注水ケース２５は注水室１１１が洗濯槽９の底部側壁に向けシャワー状に散水し、注流室１１２からの散水は、洗濯槽９側壁に設けられた洗剤投入口１６に散水される。
【００４１】
洗い給水時での給水は注水ケース２５から散水されるときには、洗濯槽９を一方向のみに２００ｒｐｍを超えない低い回転で回動しながら散水されるため、洗剤投入口１６が洗濯槽９の内周の一部に設けられていても、注水ケース２５から散水された洗剤溶解注流水２９は、洗剤投入口１６に注がれ洗剤を溶解することが出来る。
【００４２】
また、注水ケース２５は注水室１１１の方を前側、注流室１１２を後側とする。
【００４３】
注水室側に設けられた洗剤溶解注流水２９の洗剤溶解注水穴１１６は、図４と図５に示すように、注水室１１１が存在する注水ケース２５の後側の下側部に設けられ図１に示す洗剤溶解注流水２９として洗剤投入口１６に注がれる。
【００４４】
また、図２に示すように注水ケース２５の前側底部に位置している部分のシャワー散水穴１１５は洗濯槽９の底面コーナ部付近に散水できる角度θの傾きをもっている。
【００４５】
また、角度θを傾きを有した面は、シャワー散水２８時に洗濯槽９の底面部付近に扇状に広がる湾曲した形状になっている。この湾曲は洗濯槽９の回転方向と交差するラジアル方向に沿うように形成される。
【００４６】
この湾曲形状の面には、シャワー散水穴１１５が複数個設けられている。シャワー散水穴１１５は、先に記述した洗剤溶解注水穴１１６よりも穴径が小さくなっている。
【００４７】
シャワー散水穴径は、約０．８〜１．５ｍｍ程度であり、シャワー散水２８時には、水圧などによる水はねを防止している。
【００４８】
このように注水ケース２５の下側部に設けた洗剤溶解注水穴１１６とシャワー散水穴１１５は図３に示すように、仕切り板１１３により２分され、かつ夫々の穴が複数設けられている。
【００４９】
また、洗剤溶解注水穴１１６とシャワー散水穴１１５が設けられる注水ケース２５は、仕切り板１１３により注水室１１１と注流室１１２に分けられ、ほぼ中央部には連通路１１４がある。
【００５０】
給水管１０２は、仕切り板１１３で区切られたシャワー散水穴１１５側の上部に設けられている。
【００５１】
シャワー散水穴１１５の穴径が０．８〜１．５ｍｍのため、給水管１０２は仕切り板１１３で区切られたシャワー散水穴１１５側に位置している。これは、給水管１０２から供給される水圧が低いと、シャワー散水穴１１５の径が小さいため、シャワー散水穴１１５からのシャワー散水２８の量が少なくなることを防止している。
【００５２】
また、仕切り板１１３の中央部に上部から下部にわたり設けられた連通路１１４は注水室１１１内に残る残水を解消するためである。シャワー散水穴１１５の穴径が小さく、注水室１１１から抜けない残水が連通路１１４から注流室１１２に流れ、シャワー散水穴１１５よりも穴径の大きい注水穴１１６放出させ、注水室１１１内に水が残らなくした。
【００５３】
次に図６、図７を基に注水ケース内の水が流出不能になる理由を説明する。
【００５４】
図６は、洗濯槽９内への給水が終了した後、給水電磁弁６の操作により給水を停止した状態の注水ケース２５の縦断面図を示し、図７は正面図である。
【００５５】
給水電磁弁６が閉となり給水管１０２から、注水ケース２５内へ水の供給が停止すると図２で前述したように、注水ケース２５は蓋体１０１がシールパッキン１２１を介して水漏れ防止のために密封されているので注水室１１１や注流室１１２内の水は流出しなくなる。これは水の流出で注水ケース２５が負圧になるので流出が阻止されるのである。
【００５６】
このため、注水ケース２５内の水は、その自重で注水穴１１６やシャワー散水穴１１５から多少は流れ抜けるが、注水ケース２５内は水位Ｈで負圧空洞２００を残し注水ケース２５内に残水する。このため、冬季などの場合には残水された水は凍結し、次に洗濯をする場合に散水が出来なくなる。
【００５７】
また、この状態で長期間放置しておくと注水ケース２５内の残水した水が雑菌などのより腐ってしまう。
【００５８】
本発明は上記の流出不能を解消するもので、これについて図８、図９、図１０を基に説明する。
【００５９】
図８は、本発明を採用した注水ケース２５の縦断面図である。
【００６０】
洗濯やすすぎ時、洗濯槽９内へ水を供給する場合、給水電磁弁６の開閉操作により注水ケース２５の底部の設けられた注水穴１１６とシャワー散水穴１１５から洗濯槽９内へ水が供給される。
【００６１】
注水穴１１６からの注水は、洗濯槽９の側壁に設けられた洗剤投入口１６へ、またシャワー散水穴１１５からは、シャワー状に洗濯槽９内へ投入された洗濯物に散水される。注水ケース２５内の仕切り板１１３の後部注水穴１１６側は、注水穴１１６やシャワー散水穴１１５よりも内径の大きい外気置換パイプ２０１が、蓋体１０１に向かって設けられている。
【００６２】
つまり、注水ケース２５内に立つ外気置換パイプ２０１は、上端側が注水ケース内に開口し、下端側が前記注水ケースの外側底部に開口にするよう設けられる。上端側が上蓋の天井面に近接して位置する。
【００６３】
外気置換パイプ２０１の高さは、仕切り板１１３よりも高く、図６に示した残水高さＨより高い位置に設置されている。洗いやすすぎ時の給水は給水電磁弁６の操作により注水ケース２５の注水穴１１６やシャワー散水穴１１５と同じように外気置換パイプ穴２０２から洗濯槽９内に注水される。
【００６４】
図９に示すように、洗濯槽９内へ既定の水が供給されると、給水電磁弁６が閉じ水の供給が停止され、注水ケース２５内の水は注水穴１１６やシャワー散水穴１１５よりも径の大きい外気置換パイプ穴２０２から放出される。
【００６５】
注水ケース２５内の残水が外気置換パイプ穴２０２から放出されると、図１０に示すように注水ケース２５内が外気置換パイプ２０１の穴２０２を通じて外気と連通する。この連通で注水ケース２５内は外気圧と同圧となり、注水ケース２５内に残る水は、注水穴１１６とシャワー散水穴１１５から放水されて、注水ケース２５内の残水は残らず排水される。
【００６６】
上述したように、外気置換パイプの上端側が上蓋の天井面に近接して位置するので、注水ケース２５の残水が外気置換パイプ穴２０２から少し流れ出ると注水ケース２５内が大気に連通する。このため、排水不良が生じることなく、注水ケース２５内の水が確実に排水される。
【００６７】
外気置換パイプ２０１の高さは仕切り板１１３よりも高く、外気置換パイプ２０１の上端は仕切り板１１３の上端よりも約９ｍｍ程度高くしている。
【００６８】
外気置換パイプ２０１の外気置換パイプ穴２０２は径が約５〜１０ｍｍ程度にした。注水穴１１６は径が約３〜４ｍｍ程度である。シャワー散水穴１１５は径が約0.8〜３ｍｍ程度である。外気置換パイプ２０１径が一番大きく、シャワー散水穴１１５の径が最小である。注水穴１１６の径は外気置換パイプ２０１とシャワー散水穴１１５との中間である。
【００６９】
また、図１１に示す実施例は、外気置換パイプ２０２の代わりに、蓋体１０１に逆止弁を設けて、電磁給水弁６が閉じたとき注水ケース２５内が負圧空洞２００とならない構成としたものである。
【００７０】
前述したように、注水ケース２５とその上部にある蓋体１０１は、パッキング１２１を介して水漏れが無いように封じられている。
【００７１】
給水電磁弁６が給水を停止すると、外気置換パイプ穴２０２や注水穴１１６、シャワー散水穴１１５から注水ケース２５内の水が少し抜ける。
【００７２】
この時、注水ケース２５の上部にある蓋体１０１に設けられた逆止弁２０４が開放し、空気穴２０５から外気が入り注水ケース２５内が負圧とならなくなり、注水ケース２５内の残水が完全に排水される。
【００７３】
注水ケース２５の内容積は約４００ｃｃである。注水ケース内では、約４００ｃｃの水は満杯に満たされた状態でシャワー散水が行われる。
【００７４】
そして、給水電磁弁６を閉じて給水を停止したときに、外気置換パイプ２０１を備えない構成のものにあっては注水ケース２５内に溜まった水が抜けない不具合が生じた。
【００７５】
すなわち、外気置換パイプ２０１や蓋体１０１に設けた逆止弁２０４がない場合には、給水電磁弁６を閉じて給水を停止したときに、シャワー散水穴１１５および注水穴１１６からは約６０ｃｃ程度の水は自重などで自然に抜けるが、その後注水ケース内には負圧空洞２００が出来て約３４０ｃｃ程度の水は抜けないまま残る。
【００７６】
６０ｃｃ程度の少々の水が抜けた注水ケース２５の内部気圧は大気圧に対して負圧になるので、それ以上、注水ケース２５内の水は抜けなくなる。
【００７７】
この残水の原因である注水ケース２５内の負圧空洞２００を解消するために外気置換パイプや蓋体１０１部に逆止弁２０４を設けた。
注水ケース２５内では、外気置換パイプ２０１や逆止弁２０４の通気穴を通じて注水ケース２５の外側と同様な大気圧になり、注水ケース２５内の負圧は解消される。
【００７８】
給水電磁弁６が閉じられて給水を停止し、水道水が満杯の注水ケース２５から６０ｃｃ程度の水が抜け、逆止弁２０４が開放して負圧空洞２００が発生しなくなる。
このため、シャワー散水穴１１５および注水穴１１６から注水ケース２５内の水が残らず抜けるのである。
【００７９】
このようにシャワー散水を齎す小さな口径のシャワー散水穴１１５を備えた注水ケース２５は外気置換パイプ２０１や逆止弁２０４を設けることにより、シャワー散水２８の機能を損なうことなく注水ケース２５内の残水問題を解消でき、冬場の残水凍結などの不良を未然に防止できる。
【００８０】
注水穴１１６が存在する注流室１１２の底部と注水室１１１の底部は段差がなく面一である。
【００８１】
また仕切り板１１３の連通路１１４は仕切り板１１３の下端まで形成されている。
シャワー散水穴１１５が注水室１１１の底部より幾分上がったところに設けられている。このため、シャワー散水穴１１５から散水されない注水室１１１の底部近傍の残水は連通路１１４から注流室１１２に自然に流れ、径の大きい注水穴１１６から排水されるので、注水ケース２５内の残水は残らす排水することができる。
【００８２】
注流室１１２の底部が注水室１１１の底部より下がる段差構造にして残水は残らず排水することができるが、上記のように両者の底部を面一にすることにより、構造が簡素化されて作り易くなる。
【００８３】
連通路１１４の主な機能は注水室１１１の底部に残る残水の排水にある。連通路１１４は仕切り板１１３の下端に設けるだけで足りる。連通路１１４を仕切り板１１３の下端から上端に亘って設けることにより、合成樹脂で成型する注水ケース２５が作り易くなる。
【００８４】
給水管１０２の流出口は注水室１１１の上方に設けられる。注水室１１１と注流室１１２は仕切り板１１３の連通路１１４で連通しているので、給水管１０２の流出口を注流室１１２側にしてもシャワー散水２８は行われる。
【００８５】
仕切り板１１３は注水室１１１と注流室１１２を仕切るためのものであって、給水管１０２の給水は連通路１１４から注水室１１１に入れるよりも注水室１１１には直に給水する構成にする。連通路１１４の幅はできるだけ狭くすることで仕切り板１１３がもつ本来の仕切り機能の維持向上が図られる。
【００８６】
外気置換パイプ２０１の通気穴は穴の大きさが、注水穴１１６やシャワー散水穴１１５
よりも大きい。これは外気置換パイプ２０１の通気性を高めて注水ケース２５内の負圧解消による残水処理が行われ易くした。すなわち、外気置換パイプ２０１の外気置換パイプ穴２０２を大きくすることで、この外気置換パイプ穴２０２から水が容易に抜け、注水ケース２５内が大気に連通して注水ケース２５内の負圧が速やかに解消される。
【００８７】
図１１に示す実施例には、逆止弁２０４と外気置換パイプ２０１が備わっているが、逆止弁２０４だけにすることも可能である。
【符号の説明】
【００８８】
９…洗濯槽
２５…注水ケース
１１５…シャワー注水穴
１１６…注水穴
６…給水バルブ
２０１…外気置換パイプ
２０４…逆止弁
【図１】
2011000348.tif 000003
【図２】
2011000348.tif 000004
【図３】
2011000348.tif 000005
【図４】
2011000348.tif 000006
【図５】
2011000348.tif 000007
【図６】
2011000348.tif 000008
【図７】
2011000348.tif 000009
【図８】
2011000348.tif 000010
【図９】
2011000348.tif 000011
【図１０】
2011000348.tif 000012
【図１１】
2011000348.tif 000013